【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
１つまたは複数のコンピューティングデバイスによって実装される方法であって、
第１のユーザと第２のユーザとの間で交換されるトランザクション情報を決定すること、
前記決定されたトランザクション情報に基づいて、表示されるマルチメディア情報を決定すること、及び、
表示される前記決定されたマルチメディア情報を前記第２のユーザに表示することを含む、方法。
【請求項２】
前記決定されたトランザクション情報に基づいて、表示される前記マルチメディア情報を決定することは、
前記決定されたトランザクション情報に含まれる前記第２のユーザのユーザ情報に基づいて前記第２のユーザのユーザ情報に対応するアドレスブックを検索することであって、前記アドレスブックは前記第２のユーザによって前もってアップロードされる、検索すること、
前記トランザクション情報に含まれる前記第１のユーザのユーザ情報に基づいて前記第１のユーザの通信情報を決定すること、
前記アドレスブック内で前記第１のユーザの前記通信情報に対応する通信ユーザ情報を検索すること、及び、
見出された通信ユーザ情報を、表示される前記マルチメディア情報としてマルチメディア情報に変換することを含む、請求項１に記載の方法。
【請求項３】
前記決定されたトランザクション情報に基づいて、表示される前記マルチメディア情報を決定することは、
それぞれの所定の量範囲に従って、前記トランザクション情報の対話情報に含まれるトランザクション量が属する量範囲を、所定の量範囲に基づいて決定すること、及び、
前記トランザクション量が属する前記量範囲に対応するマルチメディア情報を、予め記憶されたマルチメディア情報ピース及び前記所定の量範囲とそれぞれのマルチメディア情報ピースとの間の対応する関係に基づいて、表示されるマルチメディア情報として決定することを含む、請求項１に記載の方法。
【請求項４】
前記決定されたトランザクション情報に基づいて、表示される前記マルチメディア情報を決定することは、
前記第１のユーザのユーザ情報及び前記第２のユーザのユーザ情報を含む対話ログを、前記トランザクション情報に含まれる前記第１のユーザの前記ユーザ情報及び前記第２のユーザの前記ユーザ情報に基づいて検索すること、
前記対話ログに記録された履歴対話情報に基づいて、第１の指定期間内で前記第１のユーザと前記第２のユーザとの間の対話の第１の回数を決定すること、
前記第１の回数が属する回数範囲を、所定の回数範囲に基づいて決定すること、及び、
前記第１の回数が属する前記回数範囲に対応するマルチメディア情報を、予め記憶されたマルチメディア情報ピース及び前記所定の回数範囲とそれぞれのマルチメディア情報ピースとの間の対応する関係に基づいて、表示されるマルチメディア情報として決定することを含む、請求項１に記載の方法。
【請求項５】
前記決定されたトランザクション情報に基づいて、表示される前記マルチメディア情報を決定することは、
前記トランザクション情報に含まれる対話情報を決定し、前記対話情報に収容されるトランザクション量と前記第２のユーザの残高量との比を決定すること、
前記決定された比が属する比範囲を所定の比範囲に基づいて決定すること、及び、
前記比が属する前記比範囲に対応するマルチメディア情報を、予め記憶されたマルチメディア情報ピース及び前記所定の比範囲とそれぞれのマルチメディア情報ピースとの間の対応する関係に基づいて、表示されるマルチメディア情報として決定することを含む、請求項１に記載の方法。
【請求項６】
前記決定されたトランザクション情報に基づいて、表示される前記マルチメディア情報を決定することは、
前記トランザクション情報に含まれる対話情報を決定し、前記対話情報に収容される注釈情報であって、前記第２のユーザと対話するときに前記第１のユーザによって入力される、注釈情報から所定のキーワードを検索すること、
前記注釈情報において見出されるキーワードに対応するマルチメディア情報を、予め記憶されたマルチメディア情報ピース及び複数の所定のキーワードとそれぞれのマルチメディア情報ピースとの間の対応する関係に基づいて、表示されるマルチメディア情報として決定することを含む、請求項１に記載の方法。
【請求項７】
前記決定されたトランザクション情報に基づいて、表示される前記マルチメディア情報を決定することは、
前記トランザクション情報に収容される前記第１のユーザのユーザ情報におけるユーザクラスを決定すること、
前記ユーザクラスが属するクラススコープを所定のクラススコープに基づいて決定すること、
前記ユーザクラスが属する前記クラススコープに対応するマルチメディア情報を、予め記憶されたマルチメディア情報ピース及び前記所定のクラススコープとそれぞれのマルチメディア情報ピースとの間の対応する関係に基づいて、表示されるマルチメディア情報として決定することを含む、請求項１に記載の方法。
【請求項８】
前記決定されたトランザクション情報に基づいて、表示される前記マルチメディア情報を決定することは、
前記第１のユーザのユーザ情報及び前記第２のユーザのユーザ情報を含む対話ログを、前記トランザクション情報に収容される前記第１のユーザのユーザ情報及び前記第２のユーザのユーザ情報に基づいて検索すること、
前記対話ログに記録された履歴対話情報に基づいて、第２の指定期間内で前記第１のユーザと前記第２のユーザとの間の対話の第２の回数を決定すること、
前記第１のユーザのユーザ情報、前記第２のユーザのユーザ情報、及び前記決定された第２の回数に基づいて、前記第１のユーザと前記第２のユーザとの間の社会的対応関係を決定すること、
記憶された前記第１のユーザと前記第２のユーザとの間の前記社会的対応関係に対応するマルチメディア情報を、予め記憶されたマルチメディア情報ピース及び複数の社会的対応関係とそれぞれのマルチメディア情報ピースとの間の対応する関係に基づいて、表示されるマルチメディア情報として決定することを含む、請求項１に記載の方法。
【請求項９】
前記マルチメディア情報は、ピクチャ情報、アニメーション情報、オーディオ情報、及びテキスト情報の少なくとも１つを含む、請求項１に記載の方法。
【請求項１０】
情報を表示する装置であって、
１つまたは複数のプロセッサと、
メモリと、
前記メモリに記憶され、前記１つまたは複数のプロセッサによって実行可能なトランザクション情報決定モジュールであって、それにより、第１のユーザと第２のユーザとの間で交換されるトランザクション情報を決定する、トランザクション情報決定モジュールと、
前記メモリに記憶され、前記１つまたは複数のプロセッサによって実行可能なマルチメディア情報決定モジュールであって、それにより、前記決定されたトランザクション情報に基づいて、表示されるマルチメディア情報を決定する、マルチメディア情報決定モジュールと、
前記メモリに記憶され、前記１つまたは複数のプロセッサによって実行可能なディスプレイモジュールであって、それにより、表示される前記決定されたマルチメディア情報を前記第２のユーザに表示する、ディスプレイモジュールとを備える、装置。
【請求項１１】
前記マルチメディア情報決定モジュールは、
前記決定されたトランザクション情報に収容される前記第２のユーザのユーザ情報に従って、前記第２のユーザのユーザ情報に対応するアドレスブックを検索するためのアドレスブック検索ユニットであって、前記アドレスブックは前記第２のユーザによって前もってアップロードされる、アドレスブック検索ユニットと、
前記トランザクション情報に収容される前記第１のユーザのユーザ情報に基づいて前記第１のユーザの通信情報を決定するための通信情報決定ユニットと、
前記アドレスブック内で前記第１のユーザの通信情報に対応する通信ユーザ情報を検索するための通信ユーザ情報検索ユニットと、
見出された通信ユーザ情報を、表示される前記マルチメディア情報としてマルチメディア情報に変換するための変換ユニットとを備える、請求項１０に記載の装置。
【請求項１２】
前記マルチメディア情報決定モジュールは、
それぞれの所定の量範囲に従って、前記トランザクション情報に収容される対話情報に含まれるトランザクション通貨量が属する量範囲を決定するための量範囲決定ユニットと、
前記トランザクション通貨量が属する前記量範囲に対応するマルチメディア情報を、それぞれの予め記憶されたマルチメディア情報ピース及びそれぞれの所定の量範囲とそれぞれのマルチメディア情報ピースとの間の対応する関係に基づいて、表示されるマルチメディア情報として決定するためのマルチメディア情報決定ユニットとを備える、請求項１０に記載の装置。
【請求項１３】
前記マルチメディア情報決定モジュールは、
前記第１のユーザのユーザ情報及び前記第２のユーザのユーザ情報を含む対話ログを、前記トランザクション情報に収容される前記第１のユーザのユーザ情報及び前記第２のユーザのユーザ情報に基づいて検索し、前記対話ログに記録された履歴対話情報に基づいて、第１の指定期間中に前記第１のユーザと前記第２のユーザとの間の対話の第１の回数を決定するための第１の計数決定ユニットと、
前記第１の回数が属する回数範囲を、所定の回数範囲に基づいて決定するための計数範囲決定ユニットと、
前記第１の回数が属する前記回数範囲に対応するマルチメディア情報を、予め記憶されたマルチメディア情報ピース及び前記所定の回数範囲とそれぞれのマルチメディア情報ピースとの間の対応する関係に基づいて、表示されるマルチメディア情報として決定するためのマルチメディア情報決定ユニットとを備える、請求項１０に記載の装置。
【請求項１４】
前記マルチメディア情報決定モジュールは、
前記トランザクション情報に収容される対話情報を決定し、前記対話情報に収容されるトランザクション通貨量と前記第２のユーザの通貨残高量との比を決定するための比決定ユニットと、
前記決定された比が属する比範囲を所定の比範囲に基づいて決定するための比範囲決定ユニットと、
前記決定された比が属する前記比範囲に対応するマルチメディア情報を、表示される前記マルチメディア情報として、予め記憶されたマルチメディア情報ピース及び前記所定の比範囲とそれぞれのマルチメディア情報ピースとの間の対応する関係に従って決定するためのマルチメディア情報決定ユニットとを備える、請求項１０に記載の装置。
【請求項１５】
前記マルチメディア情報決定モジュールは、
前記トランザクション情報に収容される対話情報を決定し、前記対話情報に収容される注釈情報であって、前記第１のユーザと前記第２のユーザとの対話中に入力される、注釈情報から所定のキーワードを検索するためのキーワード検索ユニットと、
前記注釈情報において見出されるキーワードに対応するマルチメディア情報を、予め記憶されたマルチメディア情報ピース及び各所定のキーワードとそれぞれのマルチメディア情報ピースとの間の対応する関係に基づいて、表示されるマルチメディア情報として決定するためのマルチメディア情報決定ユニットとを備える、請求項１０に記載の装置。
【請求項１６】
前記マルチメディア情報決定モジュールは、
前記トランザクション情報に収容される前記第１のユーザのユーザ情報におけるユーザクラスを決定するためのクラス決定ユニットと、
前記ユーザクラスが属するクラススコープを所定のクラススコープに基づいて決定するためのクラススコープ決定ユニットと、
前記ユーザクラスが属する前記クラススコープに対応するマルチメディア情報を、予め記憶されたマルチメディア情報ピース及び前記所定のクラススコープとそれぞれのマルチメディア情報ピースとの間の対応する関係に基づいて、表示されるマルチメディア情報として決定するためのマルチメディア情報決定ユニットとを備える、請求項１０に記載の装置。
【請求項１７】
前記マルチメディア情報決定モジュールは、
前記第１のユーザのユーザ情報及び前記第２のユーザのユーザ情報を含む対話ログを、前記トランザクション情報に収容される前記第１のユーザのユーザ情報及び前記第２のユーザのユーザ情報に基づいて検索し、前記対話ログに記録された履歴対話情報に基づいて、第２の指定期間内で前記第１のユーザと前記第２のユーザとの間の対話の第２の回数を決定するための第２の計数決定ユニットと、
前記第１のユーザのユーザ情報、前記第２のユーザのユーザ情報、及び前記決定された第２の回数に基づいて、前記第１のユーザと前記第２のユーザとの間の社会的関係を決定するための関係決定ユニットと、
前記第１のユーザと前記第２のユーザとの間の前記社会的関係に対応するマルチメディア情報を、予め記憶されたマルチメディア情報ピース及び複数の社会的関係とそれぞれのマルチメディア情報ピースとの間の対応する関係に基づいて、表示されるマルチメディア情報として決定するためのマルチメディア情報決定ユニットとを備える、請求項１０に記載の装置。
【請求項１８】
前記マルチメディア情報は、ピクチャ情報、アニメーション情報、音声情報、及びテキスト情報の少なくとも１つを含む、請求項１０に記載の装置。
【請求項１９】
実行可能命令を記憶する１つまたは複数のコンピュータ可読記憶媒体であって、前記実行可能命令は、１つまたは複数のプロセッサによって実行されると、
第１のユーザと第２のユーザとの間で交換されるトランザクション情報を決定すること、
前記決定されたトランザクション情報に基づいて、表示されるマルチメディア情報を決定すること、及び、
表示される前記決定されたマルチメディア情報を前記第２のユーザに表示することを含む、行為を、前記１つまたは複数のプロセッサに実施させる、１つまたは複数のコンピュータ可読記憶媒体。
【請求項２０】
前記マルチメディア情報は、ピクチャ情報、アニメーション情報、音声情報、及びテキスト情報の少なくとも１つを含む、請求項１９に記載の１つまたは複数のコンピュータ可読記憶媒体。